(57)【要約】【課題】  親指部を人差指部の前側に位置させた形状の防振立体手袋において、その防振効果および生産性の向上を図る。【解決手段】  人差指部４ｂ，中指部４ｄ，薬指部４ｅ，小指部４ｆの四指を上方に平方に延ばし且つ，人差指部，中指部の根元から下方に向けて親指部４ａを連設形成し、薬指部及び小指部の根元から下方に延ばした短い掌上半部４ｇよりなるシート本体４の両面を２枚の被覆布５ｂ，５ａで挟み、被覆布全周縁部５ａをホットメルトシート７で接着して防振シート材３を構成し、親指シート部３ａを、人差指シート部３ｂと略Ｕ字状を形成すべく上方に折曲げた状態で、親指部２ａに設けてある。【選択図】  図４
2005054319.tif 000002
【特許請求の範囲】
【請求項１】
手袋本体（２）の親指部（２ａ）が人差指部（２ｂ）の前側に位置する立体状で，掌側内面の掌上部と五指部の全てに防振シート材（３）を設けた作業用の防振立体手袋であって、人差指部（４ｃ），中指部（４ｄ），薬指部（４ｅ），小指部（４ｆ）の四指を上方に平方に延ばし且つ，人差指部（４ｃ），中指部（４ｄ）の根元から下方に向けて親指部（４ａ）を連設形成し、薬指部（４ｅ）及び小指部（４ｆ）の根元から下方に延ばした短い掌上半部（４ｇ）よりなるシート本体（４）の両面を２枚の被覆布（５ｂ，５ｃ）で挟み、被覆布（５ｂ，５ｃ）はシート本体（４）の掌上半部（４ｇ）よりも下方に延ばして掌下端まで延長させ、被覆布（５ｂ，５ｃ）全周縁部（５ａ）をホットメルトシート（７）で接着して防振シート材（３）を構成し、防振シート材（３）の各指先先端鍔部（５ａ）及び掌下端鍔部（５ｇ）を手袋本体（２）の掌側に縫着（７）し、かつ，該親指シート部（３ａ）を，人差指シート部（３ｂ）と略Ｕ字状を形成すべく上方に折曲げた状態で，前記親指部に設けてなる作業用防振立体手袋。
【請求項２】
手袋本体（２）の親指部（２ａ）が人差指部（２ｂ）の前側に位置する立体状で，掌側内面の掌上部と五指部の全てに防振シート材（３）を設けた作業用の防振立体手袋であって、人差指部（４ｃ），中指部（４ｄ），薬指部（４ｅ），小指部（４ｆ）の四指を上方に平方に延ばし且つ，人差指部（４ｃ），中指部（４ｄ）の根元から下方に向けて親指部（４ａ）を連設形成し、薬指部（４ｅ）及び小指部（４ｆ）の根元から下方に延ばした短い掌上半部（４ｇ）よりなる厚目の主部（４Ａ）と人差指の第２関節より先端側からなる薄目の副部（４Ｂ）とよりなるところのシート本体（４）の両面を２枚の被覆布（５ｂ，５ｃ）で挟み、被覆布（５ｂ，５ｃ）はシート本体（４）の掌上半部（４ｇ）よりも下方に延ばして掌下端まで延長させ、被覆布（５ｂ，５ｃ）全周縁部（５ａ）をホットメルトシート（７）で接着して防振シート材（３）を構成し、防振シート材（３）の各指先先端鍔部（５ａ）及び掌下端鍔部（５ｇ）を手袋本体（２）の掌側に縫着（７）し、かつ，該親指シート部（３ａ）を，人差指シート部（３ｂ）と略Ｕ字状を形成すべく上方に折曲げた状態で，前記親指部に設けてなる作業用防振立体手袋。
【発明の詳細な説明】
【技術分野】
【０００１】
本発明は、手袋本体の親指部が人差指部の前側に位置する立体状で、掌側内面に防振シート材を設けた作業用の防振立体手袋に関するものである。
【背景技術】
【０００２】
従来から、チェーンソーや削岩機等の振動を発する工具を手で掴んで使用する際に、その振動が身体に与える弊害を防止するために、作業用防振手袋が使用されている。
【０００３】
この作業用防振手袋には、図１に示すように、メリヤス等の柔軟性材料で形成した平面的なもの（平面手袋１０）と、皮などのある程度の剛性を有し、親指部を人差指部の前側に位置させた立体的なものとがある。平面手袋１０の親指部１０ａは、人差指部１０ｂの側方の同一平面上に位置する。
【特許文献１】特開２００１−３３６００７
【発明の開示】
【発明が解決しようとする課題】
【０００４】
平面手袋１０の内面に設ける防振材は、当該平面手袋１０と同じ平面形状のものをそのまま取付ければ良いが、立体的な防振手袋の場合は平面的な防振材をそのまま取付けることができない。従って、例えば、親指部に配置する防振材のみを別個に形成するなどの手段を講じる必要がある。
【０００５】
しかし、親指部に取付ける防振材を別個に形成すると、当該防振材で親指の付け根部分を隙間なく完全に覆うことが困難となり、防振手袋として十分な機能を与えることができないといった問題が発生する。また、親指部に配置する防振材を別個に形成して取付ける必要があることから、生産性が低下するといった問題も発生する。
【０００６】
本発明はこうした問題に鑑み創案されたもので、親指部を人差指部の前側に位置させた形状の防振立体手袋において、その防振効果および生産性の向上を図ることを課題とする。
【課題を解決するための手段】
【０００７】
図２乃至図６を参照して説明する。第１の発明は、手袋本体２の親指部２ａが人差指部２ｂの前側に位置する立体状で、掌側内面の掌上部と五指部の全てに防振シート材３を設けた作業用の防振立体手袋であって、人差指部４ｃ，中指部４ｄ，薬指部４ｅ，小指部４ｆの四指を上方に平方に延ばし且つ，人差指部４ｃ，中指部４ｄの根元から下方に向けて親指部４ａを連設形成し、薬指部４ｅ及び小指部４ｆの根元から下方にのばした短い掌上半部４ｇよりなるシート本体４の両面を２枚の被覆布５ｂ，５ｃで挟み、被覆布５ｂ，５ｃはシート本体４の掌上半部４ｇよりも下方に延ばして掌下端まで延長させ、被覆布５ｂ，５ｃ全周縁部５ａをホットメルトシート７で接着して防振シート材３を構成し、防振シート材３の各指先先端鍔部５ａ及び掌下端鍔部５ａを手袋本体２の掌側に縫着７し、かつ、親指シート部３ａを、人差指シート部３ｂと略Ｕ字状を形成すべく上方に折曲げた状態で、親指部２ａに設けてなるものである。
【発明の効果】
【０００８】
第２の発明は、手袋本体２の親指部２ａが人差指部２ｂの前側に位置する立体状で、掌側内面の掌上部と五指部の全てに防振シート材３を設けた作業用の防振立体手袋であって、人差指部４ｃ，中指部４ｄ，薬指部４ｅ，小指部４ｆの四指を上方に平方に延ばし且つ，人差指部４ｃ，中指部４ｄの根元から下方に向けて親指部４ａを連設形成し、薬指部４ｅ及び小指部４ｆの根元から下方にのばした短い掌上半部４ｇよりなる厚目の主部４Ａと人差指の第２関節より先端側からなる薄目の副部４Ｂとよりなるところのシート本体４の両面を２枚の被覆布５ｂ，５ｃで挟み、被覆布５ｂ，５ｃはシート本体４の掌上半部４ｇよりも下方に延ばして掌下端まで延長させ、被覆布５ｂ，５ｃ全周縁部５ａをホットメルトシート７で接着して防振シート材３を構成し、防振シート材３の各指先先端鍔部５ａ及び掌下端鍔部５ａを手袋本体２の掌側に縫着７し、かつ、親指シート部３ａを、人差指シート部３ｂと略Ｕ字状を形成すべく上方に折曲げた状態で、親指部２ａに設けてなるものである。
【０００９】
この発明に係る作業用防振立体手袋１は、防振シート材３を、手袋本体２の親指部２ａに配置する親指シート部３ａを、人差指シート部３ｂの下端から下方に向けて連設して形成したので、従来のように親指シート部３ａのみを別個に成形して取付けると言った面倒な作業を必要としない。従って、製造が容易で成形コストを削減することができ、生産性を高めることができる。
【００１０】
また、親指シート部３ａを、人差指シート部３ｂと略Ｕ字状を形成すべく上方に折曲げた状態で、手袋本体２の親指部２ａに設けたので、親指の付根部分を防振シート材３で隙間なく完全に覆うことができる。従って、作業者の手を振動から効果的に保護することができる。
【００１１】
また、掌側内面の掌上部と五指の全てに防振シート材３を設けたので、親指の付根部のみでなく、五指の全てを含む掌を振動から効果的に保護することができる。
【００１２】
防振シート材３を、衝撃吸収性材料であるシート本体４を被覆布５ｂ，５ｃで覆い、ホットメルトシート６で接着して形成したので、使用者の手に、肌触りが良く、吸湿性に優れる被覆布５ｂが接触する。従って、使い心地に優れる。また、被覆布５ｂ，５ｃの縁部を手袋本体２に縫い付けているので、防振シート材３を手袋本体２に強固に取付けることができるので、耐久性の向上を図ることができる。
【発明を実施するための最良の形態】
【００１３】
本発明に係る作業用防振立体手袋１の実施形態を、図２乃至図６に示す。これは、革製手袋本体２の親指部２ａが人差指部２ｂの前側に位置する立体状で、掌側内面の掌上部と五指部の全て防振シート材３を設けた作業用の防振立体手袋１である。
【００１４】
そして、第２関節より根元側の人差指部４ｃ，中指部４ｄ，薬指部４ｅ，小指部４ｆの四指を上方に平方に延ばし且つ，人差指根元部４ｃ，中指部４ｄの根元から下方に向けて親指部４ａを連設形成し、薬指部４ｅ及び小指部４ｆの根元から下方に延ばした短い掌上半部４ｇよりなる１枚の厚目の主部４Ａと人差指の第２関節より先端側からなる薄目の副部４Ｂとよりなるところのシート本体４の両面を２枚の被覆布５ｂ，５ｃで挟み、被覆布５ｂ，５ｃはシート本体４の掌上半部４ｇよりも下方に延ばして掌下端まで延長させ、被覆布５ｂ，５ｃ全周縁部５ａをホットメルトシート７で接着して防振シート材３を構成し、防振シート材３の各指先先端鍔部５ａ及び掌下端鍔部５ｇを手袋本体２の掌側に縫着７してある。
【００１５】
また、親指シート部３ａを、親指部２ａに取付ける際には、人差指シート部３ｂと略Ｕ字状を形成するように上方に折曲げる。なお、本実施形態では、親指シート部３ａの折曲げを行いやすくするために、シート本体４に切込４ａを形成している。
【００１６】
この防振立体手袋１は、親指シート部３ａを、人差指シート部３ｂの下端から下方に向けて連設形成したので、親指シート部３ａのみを別個に成形して取付けるといった面倒な作業が不要となる。従って、生産性を高めることができる。
【００１７】
また、親指シート部３ａを、上方に折曲げた状態で、手袋本体２の親指部２ａに取付けるので、親指の付根部分を防振シート材３で隙間なく完全に覆うことができる。従って、作業者の手を振動から効果的に保護することができる。
【００１８】
さらに、手袋本体２を革製としたので、耐久性を高めることができる。また、掌側内面の掌上部と五指の全てに防振シート材３を設けたので、親指の付根部のみでなく、五指の全てを含む掌を振動から効果的に保護することができる。
【００１９】
また、本実施形態における防振立体手袋１は、防振シート材３を、軟質ゴムや軟質樹脂などの衝撃吸収性材料であるシート本体４を被覆布５ｂ，５ｃで覆い、ホットメルトシート６で接着して構成している。こうすることにより、使用者の手には、肌触りが良く、吸湿性に優れる被覆布５ｂ，５ｃが接触するので使い心地に優れる。防振シート３の副部Ｂは作業の内容に応じて他の指に適応させてもよく、第１関節からでもよく、時には除く場合もある。
【００２０】
また、本実施形態では、被覆布５ｂ，５ｃの鍔部５ａを手袋本体２に縫付けて防振シート材３を手袋本体２に取付けている。従って、防振シート材３は手袋本体３の中で着用者の手に応じて移動し掌部に密着し、また防振シート材３を手袋本体２に強固に取付けることができ、耐久性の向上を図ることができる。
【産業上の利用可能性】
【００２１】
革製の手袋本体２のみでなく、各種材料で、立体的に形成された手袋本体２に適用することができる。
【図面の簡単な説明】
【００２２】
【図１】従来例に係る平面手袋を示す正面図である。
【図２】本発明に係る作業用防振立体手袋の実施形態を示す正面図である。
【図３】図２に示す立体手袋の右側面図である。
【図４】図２に示す立体手袋に取付ける防振シート材を示す一部切欠正面図である。
【図５】図４のＸ−Ｘ位置における断面図である。
【図６】図４に示す防振シート材において、親指シート部を折り曲げた状態を示す正面図である。
【符号の説明】
【００２３】
１        立体手袋
２        手袋本体
２ａ      親指部
２ｂ      人差指部
３        防振シート材
３ａ      親指シート部
３ｂ      人差指シート部
４        シート本体
４Ａ      主部
４ａ      親指部
４Ｂ      副部
４ｃ      人差指根元部
４ｄ      中指部
４ｅ      薬指部
４ｆ      小指部
４ｇ      掌上半部
４ｈ      切込み
５ａ      被覆布
５ｂ      被覆布
５ｃ      鍔部
６        ホットメルトシート
７        縫着
１０      平面手袋
１０ａ    親指部
１０ｂ    人差指部
【図１】
2005054319.tif 000003
【図２】
2005054319.tif 000004
【図３】
2005054319.tif 000005
【図４】
2005054319.tif 000006
【図５】
2005054319.tif 000007
【図６】
2005054319.tif 000008